(57)【特許請求の範囲】
【請求項１】
筺体は底板と底板に固定した４本の支柱と各支柱の上端を連結するフレームで構成され、該筺体の左右側面と背面に吸込口を設け、上面に送風ファンと吹出口を設け、前面に上部と下部に分割した前面カバーを設け、該筺体の内部に熱交換器と圧縮機と前記フレームに吊り下げられた電装品箱を設けた空気調和機の室外ユニットにおいて、
前記前面カバーは、側面まで周り込んだ断面Ｌ字状で、前記角部には傾斜面を設け、かつ側面には角部の近傍に縦長の第１凹部を設け、また前面には角部の近傍に縦長の第２凹部を設けたことを特徴とする空気調和機の室外ユニット。
【請求項２】
前記第１凹部および第２凹部は底面と傾斜面により凹部を形成することを特徴とする請求項１に係る空気調和機の室外ユニット。
【発明の詳細な説明】
【技術分野】
【０００１】
本発明は空気調和機の室外ユニットに係り、特に上面に吹出口を備えたビル用空気調和機の室外ユニットの構造に関するものである。
【背景技術】
【０００２】
空気調和機の中で１台の室外ユニットに対して複数の室内機が接続されたビル用マルチエアコンタイプの空気調和機がある。この空気調和機は一般にビルの屋上や空調機室に設置され、この室外ユニットとビルの各室に設けられた室内機との間で冷媒が流通できるように冷媒回路が設けられている。この室外ユニットは能力に応じて1台もしくは複数台が限られた場所に並列に設置されることになるため、設置面積がコンパクトになり、なお且つ効率の良い室外ユニットが求められている。その解決として設置面積が小さいながらも広い熱交換面積が確保できる形態として図９（ａ）（ｂ）の従来例１の空気調和機の室外ユニット１００がある。これは底板１０１の上に筐体１０２の高さ４／５を有する熱交換器１０３をコ字状に折り曲げ、同熱交換器１０３に対向する面の側面および背面に吸込口１０４を備え、上面に送風ファン１０５と吹出口１０６を備えており、吸込口１０４から吸い込まれた空気を上方の吹出口１０６へ吹き出すことで複数台近接して設置ができるものでのある。（特許文献１参照）
前記従来例１は本体下部に圧縮機１０７を配置し、同圧縮機１０７の上部に電装品箱１０８が設置されている。本体前面側には、メンテナンス用に、上部前面カバー１０９と下部前面カバー１１０が着脱可能に備えられている。同上部前面カバー１０９と同下部前面カバー１１０を取り外す際は左右の端面に指を入れて手前に引くことになるが、指の掛かりが少ないことで安定して持つことが難しい。
【０００３】
また室外機ユニットのメンテナンスには、圧縮機や電装品の修理の他に、工場出荷前の溶接やシールの洩れによる冷媒のリークチェックや、修理の際に本体背面側に備えたセンサー類や電磁弁のチェックも必要であるが、前記空気調和機１００の場合は、本体背面側は熱交換器１０３で塞がっている。しかし前記電装品箱１０８が小さいため、背面側にある部品のチェックは上部前面カバー１０９を外して前記電装品箱１０８の横から行なえるが、インバーター制御機能の充実を図った場合、電装品箱が大型化することになり、本体前面側を電装品箱の占める面積が増え、背面側部品のチェックができないことになる。そのため電装品箱自体を取り外す構造や電装品箱を側面側にスライドさせて中をメンテナンスできる構造が考えられる。さらに前面だけでなく側面からもメンテナンスできるように側面まで開口する構造も考えられる。その場合は前面カバーはＬ字状となる。
【０００４】
前面カバーが側面まで延長しているものに図１０の従来例２がある。従来例２の室外ユニット２００は背面に吸込口を設け前面の一方に吹出口を設け、電装品箱と圧縮機がある側の前面と側面の一部を覆うように本体２００と略同じ高さの前面カバー２０１が着脱自在に取り付けられ内部のメンテナンスを行う。前記前面カバー２０１の前面中央には四角形の把手２０２があり、着脱の際はネジ２０３を外し前記把手２０２に片手を差し込んで手前に引くことで爪２０４が外れる。しかし、室外ユニット２００は家庭用小型の室外ユニットで、前記前面カバー２０１は片手で軽く持ち上げることができ、上部から降ろすという作業も必要とされない。また、前記把手２０２の背面は部品が無いため深くすることができ安定して持つことができる。しかし、本発明のビル用空気調和機の室外ユニットの場合は従来例１のように上部前面カバーの背面には電装品箱があるため深穴の把手を設けることができない。（特許文献２参照）
【特許文献１】特開２００７−１４７２５０号公報
【特許文献２】特開２００７−２１２１０４号公報
【発明の開示】
【発明が解決しようとする課題】
【０００５】
本発明は、上記の従来技術の問題点に鑑みて、空気調和機の室外ユニットのＬ字状をした前面カバーの角部の近傍に縦長の凹部を設けることで一人で容易に取り外しができ、鋼板の強度も増す構造を提供するものである。
【課題を解決するための手段】
【０００６】
請求項１に係る空気調和機の室外ユニットでは、底板と底板に固定した４本の支柱と各支柱の上端を連結するフレームで構成され、該筺体の左右側面と背面に吸込口を設け、上面に送風ファンと吹出口を設け、前面に上部と下部に分割した前面カバーを設け、該筺体の内部に熱交換器と圧縮機と前記フレームに吊り下げられた電装品箱を設けており、前記前面カバーは、側面まで周り込んだ断面Ｌ字状で、前記角部には傾斜面を設け、かつ側面には角部の近傍に縦長の第１凹部を設け、また前面には角部の近傍に縦長の第２凹部を設けたことで、前記第１凹部および前記第２凹部が前面カバーの鋼板に強度を持たせ、さらに手掛けとなり安全に前記上部前面カバーの取り外しが可能となる。
【０００７】
請求項２に係る空気調和機の室外ユニットでは、前記第１凹部および第２凹部は底面と傾斜面により凹部を形成することで指の腹が前記前面カバーに密着してさらに前記上部前面カバーの取り外しが可能となる。
【発明の効果】
【０００８】
上記のように構成された本発明によれば、空気調和機の室外ユニットの前面カバーの角部を挟みこむように握ることができるので、上部前面カバーを一人で容易に取り外しができ、かつ鋼板の強度も増すことができる。
【発明を実施するための最良の形態】
【０００９】
以下、図１〜図６を参照して、本発明の実施の形態を説明する。図１は本発明の空気調和機の室外ユニットの筐体を示した図であり、図２は同室外ユニットの構成を示した図、図３は同室外ユニットの電装品箱を移動させた状態を示した図、図４は同室外ユニットの上部前面カバーの説明図で（ａ）は左側面図、（ｂ）は正面図、（ｃ）は右側面図、（ｄ）はＡ−Ａ′拡大断面図、図５は同室外ユニットの上部前面カバーを外す状態を示した平面図、図６は図４のＹ部詳細図である。
【００１０】
本発明による空気調和機の室外ユニット１は、１台の室外ユニットに対して複数の室内機が接続されたビル用マルチエアコンタイプの空気調和機であり、一般にビルの屋上や空調機室に設置され、同室外ユニット１とビルの各室に設けられた室内機との間で冷媒が流通できるように冷媒回路が設けられている。そのため室外ユニット１は例えば高さ１６００ｍｍ、奥行き８００ｍｍ前後で、横幅９００ｍｍ前後で能力に応じて横幅が大きくなる。
【００１１】
図１および図２に示すように前記筐体２は、平板矩形状で前面角部の一方が斜めに切り抜かれたように形成され周囲に立ち上がり面を設けた底板２０があり、同底板２０の斜めに切り抜かれた部分に第１支柱２１ａが固定されている。底板２０のもう一方の前面には、後述する電装品箱６が影響しない位置に立っている矩形状プレートでなる第２支柱２１ｂが固定されている。底板２０の背面側には第３支柱２１ｃと第４支柱２１ｄがそれぞれ固定されている。また底板２０の底面には脚部２３が備えられ屋上等の被設置面にナット等で固定される。前記支柱２１ａ〜２１ｄの上端には各支柱を連結する４本の上部フレーム２２ａ〜２２ｄが装着されており、特に前記第１支柱２１ａと前記第２支柱２１ｂを繋ぐ第１上部フレーム２２ａはＬ字状に折れ曲がり、同第１上部フレーム２２ａから電装品箱６が吊下げられている。これら部材は鋼板材をプレス加工したもので作られている。
【００１２】
前記上部フレーム２２ａ〜２２ｄの上端にはモータ取付台４０が固定され、モータ取付台４０にモータ４１が設置され同モータ４１に軸流ファン４が軸支されている。
【００１３】
さらに前記支柱２１ａ〜２１ｄと前記上部フレーム２２ａ〜２２ｄを覆うように天井パネル４２が設けられ、天井パネル４２の中央には円筒状の吹出部４３が突設されており、吹出部４３の内部に軸流ファン４が収まり、吹出部４３の上端は手および小動物の侵入を防ぐために格子状からなるファンガード４４が覆っている。
【００１４】
一方内部には底板２０の立ち上がり面に沿って多角形の熱交換器３が立設されている。同熱交換器３に合わせ第１支柱２１ａには空気を取り入れる複数の孔からなる吸込口３０ａが設けられ、左右側面および背面には吸込口３０ｂ〜３０ｄが開口している。吸込口３０ｂ〜３０ｄにはガードのために保護網３１が取り付けられている。
【００１５】
熱交換器３の内部には圧縮機室５０の中に1台もしくは複数台の圧縮機５と圧縮機用アキュムレーター５１、レシーバータンク５２、サーモスタット等の部材が設けられている。
【００１６】
これらの構成により前記吸込口３０ａ〜３０ｄから吸い込まれた空気は内部の前記熱交換器５で熱交換され前記軸流ファン４により、上方の前記吹出部４３から外部へ吹き出される。
【００１７】
さて筐体２の内部は四方を前記熱交換器３と前記圧縮機室５２と前記電装品箱６で囲まれているため、内部部材の工場出荷前の溶接やシールの洩れによる冷媒のリークチェックや、修理の際のセンサー類や電磁弁のチェックのために図３に示すように前記電装品箱６を移動できる構造とした。前記電装品箱６は電装品箱蓋６１が電装品箱６本体にネジ止めされており、このネジを外して電装品のチェックを行なう。また前記電装品箱６の上端にある電装品箱係止部材６２が前記上部フレーム２２ａに設けられたレール２４に吊り下がっており、前記第２支柱２１ｂ側にスライドできる構成となっている。また、前記第２支柱２１ｂは側面に電装品箱を引き出すためのスペースが必要となるため、電装品箱６が当たらないように側面後方に立設されている。
【００１８】
筐体２の前面には、前面カバーを上下に分割した上部前面カバー７と下部前面カバー８が装着される。同上部前面カバー７と同下部前面カバー８は断面Ｌ字状をして前記第１支柱２１ａと前記第２支柱２１ｂに羅着される。
【００１９】
前記下部前面カバー８は下部に設けた配管を外部へ引き出すためのコンジットプレート８１の部分を切り抜いた形状であり、同下部前面カバー８を取り外すことで、配管の調整と配管奥の部材および圧縮機室５２内のメンテナンスを行なうことができる。
【００２０】
図４に示すように前記上部前面カバー７は前述した通り断面Ｌ字状で、Ｌ字状の角部を手で保持することができる。角部には保持する際に角が手のひらに当たらないように傾斜面７６が設けられている。
【００２１】
なお、それぞれの大きさを把握するため寸法を仮に示すが、この寸法に限定されるものではない。前面の第１支柱２１ａ側の端部は、深さ１５ｍｍ程度の段差があり段差部７７にネジ孔７５が上下２箇所あり前記第１支柱２１ａに羅着される。段差部７７の端面には第１支柱２１ａの立ち上がり面に設けた挿入孔２５ａに差し込む爪７１ａが上下２箇所ある。反対側の側面の端面には前記第２支柱２１ｂの折り曲げ面に設けた挿入孔２５ｂに差し込む爪７１ｂが上下２箇所ある。角部近傍の前面には上下２箇所のネジ孔７５があり前記電装品箱に羅着されている。
【００２２】
前記上部前面カバー７はＬ字の角部の近傍で側面に第１凹部７２が設けられている。また前面には第２凹部７３が設けられている。さらに前記段差部７７の近傍には第３凹部７４が設けられている。これら凹部７２〜７４は上部前面カバー７の高さに対して約９０％の高さがあり深さは約１０ｍｍである。同凹部７２〜７４を変形しやすい角部および端部に設けたことで上部前面カバー７の強度が増し、変形を防ぐことができる。また約１０ｍｍと浅くフランジ部７８と略同位置のため内部の電装品箱等に影響することがない。
【００２３】
図６を用いて各凹部を詳しく説明する。前記第１凹部７２は角から約５０ｍｍ内側に入ったところから傾斜面７２ａが始まり同傾斜面７２ａは約２５ｍｍの幅で深さ約１０ｍｍに達する。そこから幅約１０ｍｍの底面７２ｂがあり、その先に傾斜面７２ｃが幅約１５ｍｍ程度で立ち上がる。前記傾斜面７２ａは親指以外の指の腹が充分に接触するように他の傾斜面よりも長いゆるやかな傾斜となっている。また前記平面７２ｂと前記傾斜面７２ｃは指先がつかえないような幅となっている。
【００２４】
前記第２凹部７３は角から約５０ｍｍ内側に入ったところから傾斜面７３ａが始まり同傾斜面７３ａは約１５ｍｍの幅で深さ約１０ｍｍに達する。そこから幅約１０ｍｍの底面７３ｂがあり、その先に傾斜面７３ｃが幅約１５ｍｍ程度で立ち上がる。前記傾斜面７３ａは親指の腹で押さえやすいように前記傾斜面７２ａよりも短い傾斜面となっている。また前記平面７３ｂと前記傾斜面７３ｃは指先がつかえないような幅となっている。また前記第３凹部７４は前記第２凹部７３の対称形となっている。
【００２５】
前記上部前面カバー７を取り外す場合は、図５に示すように左手で第１凹部７２に親指以外の指を沿え、第２凹部７３に親指を添えて傾斜面７６に手のひらを当てて上部前面カバー７を保持しながら、４箇所のネジ９をネジ孔７５から外す。次に右手の親指で第３凹部７４を支えながら親指以外の指を最低限の指の引っ掛かりを確保した段差部７７に添えて保持する。上部前面カバー全体を手前に引き出し、爪７１ａ〜７１ｄを挿入孔２５ａ〜２５ｂから外し、下に降ろすようにする。
【００２６】
上部前面カバー７を外した後に電装品箱蓋６１を開けて電装品のチェックを行なうことができる。また前記電装品箱６を左方向へスライドさせて、電装品箱６の奥に配置した部材のチェックを行うことができる。
【００２７】
上部前面カバー７を取り付ける場合は第１凹部７２と第２凹部７３を左手で保持し、第３凹部７４と段差部７７を保持して、下部前面カバー８の上に仮置きさせ、爪７１ａ〜７１ｄを挿入孔２５ａ〜２５ｂに挿入し、ネジ９をネジ孔７５に羅着させることで第１支柱２１ａおよび第２支柱２１ｂに固定できる。
【００２８】
これらの作業では前記凹部７２〜７４に指を当て挟みこむように支えることで、何も無い状態よりも持ちやすくなり、大型の室外機ユニットでも一人で作業することが可能となる。また前記凹部７２〜７４が縦長であることで筐体設置場所の高さ位置が変わっても扉の持ちやすさが変わることがない。
【００２９】
なお、図７のように上部前面カバー７に少なくとも第１凹部７２だけを設け、第２凹部７３と第３凹部７４を設けない場合でも、上部前面カバー７を保持することが可能である。
【００３０】
さらに前記下部前面カバー８にも同様の凹部を設けることで同様の効果を得ることができる。
【００３１】
第２実施例として、図８に示すように前記凹部７２〜７４の長手方向の間に１つまたは複数の凸部７９を設けることで、上下方向の指の引っ掛りを強めた構造もある。上部前面カバー７がさらに大型になり重量が増した場合などはこの構造にすると更に持ちやすくなる。
【図面の簡単な説明】
【００３２】
【図１】本発明に係る空気調和機の室外ユニットの筐体を示した斜視図。
【図２】本発明に係る空気調和機の室外ユニットの構成を示した斜視図。
【図３】本発明に係る空気調和機の室外ユニットの電装品箱を移動させた状態を示した斜視図。
【図４】本発明に係る空気調和機の室外ユニットの上部前面カバーの説明図で（ａ）は左側面図、（ｂ）は正面図、（ｃ）は右側面図、（ｄ）はＡ−Ａ′拡大断面図。
【図５】本発明に係る空気調和機の室外ユニットの上部前面カバー外す状態を示した平面図。
【図６】図４のＹ部拡大図。
【図７】本発明の実施例２に係る上部前面カバーの部分拡大図。
【図８】本発明の実施例３に係る上部前面カバーの斜視図。
【図９】従来例１の外観斜視図で（ａ）は全体を示す図（ｂ）は（ａ）から一部の部材を取り除いた状態の外観斜視図。
【図１０】従来例２の斜視図。
【符号の説明】
【００３３】
１      室外ユニット
２      筐体
２０    底板
２１ａ  第１支柱
２１ｂ  第２支柱
２２ａ  第１上部フレーム
３      熱交換器
４      軸流ファン
５      圧縮機
５０    圧縮機室
６      電装品箱
７      上部前面カバー
７１ａ  第１爪
７１ｂ  第２爪
７２    第１凹部
７３    第２凹部
７４    第３凹部
７５    ネジ孔
７６    傾斜面
７７    段差部
７８    フランジ
７９    凹部内凸部
８      下部前面カバー
９      ネジ
【図１】
0004967961.tif 000002
【図２】
0004967961.tif 000003
【図３】
0004967961.tif 000004
【図４】
0004967961.tif 000005
【図５】
0004967961.tif 000006
【図６】
0004967961.tif 000007
【図７】
0004967961.tif 000008
【図８】
0004967961.tif 000009
【図９】
0004967961.tif 000010
【図１０】
0004967961.tif 000011